(57)【要約】【課題】単線結線図作成の設計段階から、盤内の配線および実装の設計を可能とする。【解決手段】盤内配置調整装置１００は、外部からの要求条件を受けて、単線結線図に基づいて盤内の複数の用品の配置を調整する。盤内配置調整装置１００は、盤内の用品に関する部品データを格納する部品データベース１１と、配線に関する配線データを格納する配線データベース１２と、盤内の用品の配置区分に関する配置区分データを格納する用品配置データベース１３と、配線データを用いて単線結線図に基づいて分岐用端子台の追設の有無を含む配線仕様を調整する配線仕様調整部２１と、部品データおよび配置区分データを用いて配線仕様調整部２１での調整結果に基づいて用品配置を調整する用品配置調整部２２と、入力部３２と、出力部４２を有する。【選択図】図１
2016085560.tif 000002
【特許請求の範囲】
【請求項１】
外部から入力された要求条件を受けて、単線結線図に基づいて盤内の複数の用品の配置を調整する盤内配置調整装置において、
前記盤内の複数の用品のそれぞれを表すシンボルと用品に関する部品データを格納する部品データベースと、
前記複数の用品間を接続する配線に関する配線データを格納する配線データベースと、
前記盤内の複数の用品の配置区分に関する配置区分データを格納する用品配置データベースと、
盤寸法要求を含む前記要求条件を外部から受け入れる入力部と、
前記配線データを用いて、前記単線結線図に基づいて分岐用端子台の追設の有無を含む配線仕様を調整する配線仕様調整部と、
前記部品データおよび前記配置区分データを用い、前記要求条件を盤内配置調整上の初期条件として用いて、前記配線仕様調整部での調整結果に基づいて用品配置を調整する用品配置調整部と、
前記配線仕様調整部および前記用品配置調整部での調整結果を出力する出力部と、
を備えることを特徴とする盤内配置調整装置。
【請求項２】
前記配線に関する配線データは、電線の種類、サイズ、および許容電流に関する情報を含むことを特徴とする請求項１に記載の盤内配置調整装置。
【請求項３】
前記配置区分に関する配置区分データは、耐ノイズ性能、発熱量、監視操作性、および保守作業性のそれぞれに関する特性と盤内の配置個所との対応に関する情報を含むことを特徴とする請求項１または請求項２に記載の盤内配置調整装置。
【請求項４】
前記配線仕様調整部および前記用品配置調整部での調整結果を格納する調整結果データベースをさらに備え、
前記出力部は前記調整結果データベースから読み出した結果を出力することを特徴とする請求項１ないし請求項３のいずれか一項に記載の盤内配置調整装置。
【請求項５】
盤内の複数の用品の配置を調整する盤内配置調整方法において、
配線データベースに格納されたデータを用いて、配線仕様調整部が、単線結線図に基づいて端子台追設の有無を含む配線仕様を調整する配線仕様調整ステップと、
部品データベースおよび用品配置データベースのデータを用いて、用品配置調整部が、前記配線仕様調整部での調整結果に基づいて用品配置を調整する用品配置調整ステップと、
を有することを特徴とする盤内配置調整方法。
【請求項６】
前記用品配置調整ステップは、
盤内に設置する複数の用品のそれぞれについて複数の配置調整項目に基づいて配置区分を行う配置区分決定ステップと、
前記配置区分と、前記配線仕様とをキーとして並べ替えを行う並べ替えステップと、
を有することを特徴とする請求項５に記載の盤内配置調整方法。
【請求項７】
前記用品配置調整ステップは、それぞれの前記配置区分に区分された前記複数の用品について、それぞれの前記複数の用品それぞれの高さ寸法、型式、接続順を並べ替えキーとして並べ替えを行う配置区分内並べ替えステップをさらに有することを特徴とする請求項６に記載の盤内配置調整方法。
【発明の詳細な説明】
【技術分野】
【０００１】
本発明は、盤内の用品の配置を調整する盤内配置調整装置および盤内配置調整方法に関する。
【背景技術】
【０００２】
従来、モータの回転数を制御するインバータなどの動力系電気品と、インバータを制御するコントローラなどの制御系電気品は、通常、それぞれ別々の独立した盤として設計されている。制御系電気品を収納する盤においては、動力系電気品あるいは動力負荷の運転モードによって盤内の電線の負荷等が変化することから、これを考慮して電線サイズ等を決定する手法が知られている（特許文献１）。
【０００３】
ところが、近年はインバータなどの動力系電気品と、コントローラなどの制御系電気品の外形寸法の小型化が進んできたことにより、動力系電気品と制御系電気品を同一の盤内に混在させて収納することが要求される場合もある。
【先行技術文献】
【特許文献】
【０００４】
【特許文献１】特開２００４−１６４１６２号公報
【発明の概要】
【発明が解決しようとする課題】
【０００５】
動力系電気品と制御系電気品を同一の盤に収納する場合、一つの盤内で使用する配線の種類がさらに多岐にわたることになる。
【０００６】
電線サイズを選定する場合、電源線は、故障時に対する保護協調をとるため電線サイズが大きくなる傾向がある。一方、結線図の回路構成や盤内電気品の種類によっては、選定した電線と電気品との接続が困難で、電線をそのまま電気品に直結できず、電源線分岐用の端子台を追加実装する必要がある。このため、電線サイズの選定後に、複線結線図を変更する必要が生じる場合があった。
【０００７】
この傾向は動力系電気品と制御系電気品が同一盤内に共存することで、さらに顕著になってきている。また、動力系と制御系の電気品が同一盤内に共存することにより、動力系電気品からのノイズや発熱が、制御系電気品に悪影響を及ぼす懸念があり、このような問題のない用品配置を行う必要がある。
【０００８】
本発明は上記のような課題を解決するためになされたものであり、単線結線図作成の設計段階から、盤内の配線および実装の設計を可能とすることを目的とする。
【課題を解決するための手段】
【０００９】
上述の目的を達成するため、本発明は、外部から入力された要求条件を受けて、単線結線図に基づいて盤内の複数の用品の配置を調整する盤内配置調整装置において、前記盤内の複数の用品のそれぞれを表すシンボルと用品に関する部品データを格納する部品データベースと、前記複数の用品間を接続する配線に関する配線データを格納する配線データベースと、前記盤内の複数の用品の配置区分に関する配置区分データを格納する用品配置データベースと、盤寸法要求を含む前記要求条件を外部から受け入れる入力部と、前記配線データを用いて、前記単線結線図に基づいて分岐用端子台の追設の有無を含む配線仕様を調整する配線仕様調整部と、前記部品データおよび前記配置区分データを用い、前記要求条件を盤内配置調整上の初期条件として用いて、前記配線仕様調整部での調整結果に基づいて用品配置を調整する用品配置調整部と、前記配線仕様調整部および前記用品配置調整部での調整結果を出力する出力部と、を備えることを特徴とする。
【００１０】
また、本発明は、盤内の複数の用品の配置を調整する盤内配置調整方法において、配線データベースに格納されたデータを用いて、配線仕様調整部が、単線結線図に基づいて端子台追設の有無を含む配線仕様を調整する配線仕様調整ステップと、部品データベースおよび用品配置データベースのデータを用いて、用品配置調整部が、前記配線仕様調整部での調整結果に基づいて用品配置を調整する用品配置調整ステップと、を有することを特徴とする。
【発明の効果】
【００１１】
本発明によれば、単線結線図作成の設計段階から、盤内の配線および実装の設計が可能となる。
【図面の簡単な説明】
【００１２】
【図１】第１の実施形態に係る盤内配置調整装置の構成を示すブロック図である。
【図２】第１の実施形態に係る盤内配置調整方法の全体の手順を示すフロー図である。
【図３】第１の実施形態に係る盤内配置調整方法における配線仕様調整ステップの第１アルゴリズムの手順を示すフロー図である。
【図４】第１の実施形態に係る盤内配置調整方法における配線仕様調整ステップの第１アルゴリズムでの最初の並べ替え後の接続状態の例を示す説明図である。
【図５】第１の実施形態に係る盤内配置調整方法における配線仕様調整ステップの第１アルゴリズムを適用後の最終の接続状態の例を示す説明図である。
【図６】第１の実施形態に係る盤内配置調整方法における配線仕様調整ステップの第２アルゴリズムの手順を示すフロー図である。
【図７】第１の実施形態に係る盤内配置調整方法における配線仕様調整ステップの第２アルゴリズムを適用後の接続状態の例を示す説明図である。
【図８】第１の実施形態に係る盤内配置調整方法における配線仕様調整ステップの第３アルゴリズムの手順を示すフロー図である。
【図９】第１の実施形態に係る盤内配置調整方法における配線仕様調整ステップの第３アルゴリズムを適用前の接続状態の例を示す説明図である。
【図１０】第１の実施形態に係る盤内配置調整方法における配線仕様調整ステップの第３アルゴリズムを適用後の接続状態の例を示す説明図である。
【図１１】第１の実施形態に係る盤内配置調整方法における配線仕様調整ステップの結果を反映した調整結果データベース内の接続順データの例である。
【図１２】第１の実施形態に係る盤内配置調整方法における用品配置調整ステップの手順を示すフロー図である。
【図１３】第１の実施形態に係る盤内配置調整方法における用品配置区分の例を示す説明図である。
【図１４】第１の実施形態に係る盤内配置調整方法における用品配置調整ステップの結果を反映した調整結果データベース内の配置区分データの例である。
【図１５】第２の実施形態に係る盤内配置調整方法の手順を示すフロー図である。
【発明を実施するための形態】
【００１３】
以下、図面を参照して、本発明の実施形態に係る盤内配置調整装置および盤内配置調整方法について説明する。ここで、互いに同一または類似の部分には、共通の符号を付して、重複説明は省略する。
【００１４】
［第１の実施形態］
図１は、第１の実施形態に係る盤内配置調整装置の構成を示すブロック図である。盤内配置調整装置１００は、単線結線図を作成した段階で、外部からの盤寸法要求に基づいて、盤内に設けられる電源、ファン、各種基板、各種部品、端子台および電線等の配置を調整する装置である。盤内配置調整装置１００は、記憶部１０、演算部２０、入力部３２、出力部４２、入力部３２および出力部４２をそれぞれ制御する入力制御部３１および出力制御部４１を有する。
【００１５】
記憶部１０は、部品データベース１１、配線データベース１２、用品配置データベース１３および調整結果データベース１４を有する。部品データベース１１は、盤内に使用される用品を含む用品のそれぞれについて、シンボル、主要仕様、および発熱量、重量等の特性値等の部品データを格納する。主要仕様には、たとえば、配線との接続部のサイズ、すなわちどのサイズまでの電線と、物理的にすなわち寸法的に接続可能であるかを確認できるデータである配線接続部一次側サイズ、配線接続部二次側サイズのデータなどを含む。
【００１６】
配線データベース１２は、用品間を接続する配線に関するデータすなわち、電線種類、サイズ、許容電流、端子台の仕様を含む配線データを格納する。用品配置データベース１３は、用品の配置上の配置区分に関するデータ、すなわち、耐ノイズ性能、発熱量、監視・操作性、保守作業性のそれぞれの観点からの盤内の配置位置への配置区分に関する配置区分データを格納する。調整結果データベース１４は、演算部２０によって調整された結果を、調整の都度、受け入れて検索可能な形態で格納するデータベースである。
【００１７】
演算部２０は、配線仕様調整部２１および用品配置調整部２２を有する。配線仕様調整部２１は、配線データベースに格納された配線データを用いて、単線結線図に基づいて、各部に配線されている電線、分岐用端子台についての配線仕様を調整する。
【００１８】
用品配置調整部２２は、部品データベース１１内の部品データおよび用品配置データベース１３の配置区分データを用いて、配線仕様調整部２１での調整結果に基づいて、それぞれの用品について盤内における配置位置を調整する。
【００１９】
入力部３２は、外部から、盤寸法等の要求条件受け入れる。入力制御部３１は、入力部３２を制御する。出力部４２は、配線仕様調整部２１および用品配置調整部２２での調整結果を出力する。出力制御部４１は、出力部４２を制御する。
【００２０】
図２は、第１の実施形態に係る盤内配置調整方法の全体の手順を示すフロー図である。あらかじめ、対象とする盤を含めた設備について単線結線図を作成する（ステップＳ０１）。単線結成図を作成するに際しては、部品データベース１１が活用される。すなわち、用品のシンボルや基本仕様等に関する情報として、部品データベース１１に格納されている部品データが使用される。単線結線図の作成の結果は、調整結果データベース１４に格納、記憶される。この結果、調整結果データベース１４には、対象とする盤に取り付けられるすべての用品について部品データベース１１に収納されたデータ、および、これらの用品に接続される電線の接続状態が格納される。
【００２１】
次に、配線仕様調整部２１が、配線仕様調整を実行する（ステップＳ１００）。配線仕様調整は、配線データベース１２に格納された配線データ、および単線結線図作成結果のデータが格納されている調整結果データベース１４に格納されたデータを用いて行われる。配線仕様調整の実行によって、対象とする盤に関する複線結線図の作成に必要なデータが完備される。
【００２２】
配線仕様調整内の各ステップでの実行によって調整された内容は、調整結果データベース１４に格納、記憶される。なお、配線仕様調整の実行によって得られた複線結線図作成用に必要なデータを、配線仕様調整部２１から出力制御部４１に出力し、出力部４２が複線結線図を出力する。
【００２３】
配線仕様調整ステップＳ１００の後に、入力部３２が、外部からの盤寸法要求、すなわち、盤寸法の初期設定値および条件値を受け入れる（ステップＳ２００）。具体的には、たとえば、盤設置室内の制約により盤の幅が決められている場合は、盤の幅が条件値、盤高さ、盤の奥行などが初期設定値となる。
【００２４】
ステップＳ２００の次に、用品配置調整部２２が、用品配置調整を実行する（ステップＳ３００）。用品配置調整は、ステップＳ２００で入力を受け入れた盤寸法要求、調整結果データベース１４に格納されている配線仕様調整ステップでの結果を反映したデータ、および用品配置データベース１３に格納されているデータを使用して実行される。
【００２５】
用品配置調整ステップ内の各ステップでの実行によって調整された結果は、調整結果データベース１４に順次、格納され、記憶される。用品配置調整によって、盤内配置配線図の作成用のデータが作成され、用品配置調整によって得られた盤内配置配線図作成用のデータは、用品配置調整部２２から出力制御部４１に出力され、出力部４２が盤内配置配線図を出力する。
【００２６】
図３は、第１の実施形態に係る盤内配置調整方法における配線仕様調整ステップＳ１００における第１アルゴリズム実行ステップＳ１１０の手順を示すフロー図である。なお、以下のステップＳ１１０の各手順は、配線仕様調整部２１によって行われる。
【００２７】
まず、上位の電気品の定格電流に基づく電線サイズの選定を行う（ステップＳ１１１）。すなわち、調整結果データベース１４に格納された用品間の接続情報から上位の電気品を特定する。次に、配線データベース１２に格納されたデータを用いて、その定格電流に適合する電線サイズを選定する。さらに、この上位の電気品に接続する下位の電気品までの電線のサイズも上位の電気品からの電線サイズと同じ電線サイズとする。
【００２８】
次に、この上位の電気品に接続される下位の電気品のそれぞれについて、接続可能電線サイズを確認する（ステップＳ１１２）。具体的には、対象とする下位の電気品のそれぞれについて、部品データベース１１に格納されている部品データのうち配線接続部一次側サイズのデータを接続可能電線サイズとして抽出する。
【００２９】
次に、接続する下位の電気品について、定格電流が大きい順に調整結果データベース１４に格納された下位の電気品への接続の並べ替えを行う（ステップＳ１１３）。図４は、第１アルゴリズムでの最初の並べ替え後の接続状態の例を示す説明図である。図４に示す例では、定格電流２００Ａのラインの下位に接続する電気品は、その定格電流が５０Ａ、５０Ａ、５０Ａ、２０Ａ、１０Ａ、１０Ａ、１０Ａの順に接続されている。なお、上位のラインおよび各電気品へのラインには、開閉器が設けられている。ステップＳ１１１の結果により、図４の破線で示すラインは、上位の電気品の定格電流２００Ａに対応する電線サイズが選定されている。
【００３０】
次に、これらの下位の電気品に関して順次、ステップＳ１１１で選定した電線で接続可能か否かの確認を行う（ステップＳ１１４）。接続可能か否かの判定は、ステップＳ１１１で選定された電線サイズが、上限値未満であるか否かによって行う。ここで、上限値は、ステップＳ１１２で抽出したそれぞれの電気品の接続可能電線サイズである。
【００３１】
接続可能と判定された場合（ステップＳ１１４  ＹＥＳ）は、配線仕様調整部２１から調整結果データベース１４に、この接続状態および電線サイズを出力し、調整結果データベース１４が保存する（ステップＳ１１５）。これを、下位の電気品すべてについて行う（ステップＳ１１６）。図５は、第１アルゴリズムを適用後の最終の接続状態の例を示す説明図である。図５の太線で示す範囲、すなわち、下位の電気品用配線のうち３つの５０Ａ定格の部分について、配線状態および電線サイズが確定し、調整結果データベース１４に結果が保存される。なお、太線部の電線サイズは、いずれの部分も上位の電気品の定格に対応する電線サイズである。
【００３２】
ステップＳ１１４で接続できないと判定された場合（ステップＳ１１４  ＮＯ）は、第２アルゴリズム（ステップＳ１２０）に移行する。すなわち、図５の、２０Ａ定格、３つの１０Ａ定格の電気品との接続ラインは未確定状態であり、これらは、第２アルゴリズム（ステップＳ１２０）での処理に委ねられる。
【００３３】
図６は、第１の実施形態に係る盤内配置調整方法における配線仕様調整ステップの第２アルゴリズムの手順を示すフロー図である。まず、第１アルゴリズムでの調整で確定しなかった接続ラインに係る下位の電気品それぞれの定格電流の合計値を計算する（ステップＳ１２１）。たとえば、図５に示した例では、合計値は、２０Ａと１０Ａ×３の合計値、すなわち５０Ａとなる。次に、算出された定格電流の合計値から配線データベース１２を参照し、配線仕様調整部２１は、この合計値５０Ａに適合する電線サイズを選定する（ステップＳ１２２）。この電線サイズを、第２アルゴリズムでの処理の対象とした下位の電気品への接続ラインに適用する。
【００３４】
次に、下位の電気品それぞれについて、ステップＳ１２２で選定したサイズの電線を用いた場合に接続可能か否かを判定する（ステップＳ１２３）。すなわち、ステップＳ１１２で抽出したそれぞれの電気品の接続可能電線サイズを上限値として、それぞれの電気品について順次、ステップＳ１２２で選定したサイズが上限値未満であるか否かを判定する（ステップＳ１２３）。接続可能と判定された場合（ステップＳ１２３  ＹＥＳ）は、当該電気品の一次側の接続ラインの電線サイズを上限値、すなわち、当該電気品の接続可能電線サイズに設定して、調整結果データベース１４に保存する（ステップＳ１２４）。
【００３５】
接続可能と判定されなかった場合（ステップＳ１２３  ＮＯ）、先ず、電線サイズを当該電気品の定格電流に対応するものとする（ステップＳ１２６）。次に、この接続不可と判定された電気品が、電線サイズ選定の第２アルゴリズムで電線サイズを選定する最初の電気品が否かを確認する（ステップＳ１２７）。最初の電気品でなかった場合（ステップＳ１２７  ＮＯ）は、この電線サイズ選定の第２アルゴリズムの再帰処理を行う。このようにして、対象とする全電気品について第２アルゴリズムを実行する（ステップＳ１２５）。
【００３６】
ただし、接続可能と判定されなかった場合（ステップＳ１２３  ＮＯ）であって、この接続不可と判定された電気品が、電線サイズ選定の第２アルゴリズムで電線サイズを選定する最初の電気品だった場合（ステップＳ１２７  ＹＥＳ）は、第３アルゴリズムでの処理に委ねられる（ステップＳ１３０）。
【００３７】
図７は、第１の実施形態に係る盤内配置調整方法における配線仕様調整ステップの第２アルゴリズムを適用後の接続状態の例を示す説明図である。なお、図７は、第２アルゴリズムでの処理の対象とした下位の電気品への接続ラインの電線のサイズが、すべて、下位の電気品の接続可能サイズ内にあった場合を示す。
【００３８】
図８は、第１の実施形態に係る盤内配置調整方法における配線仕様調整ステップの第３アルゴリズムの手順を示すフロー図である。第３アルゴリズムは、第１アルゴリズムで上位の電気品からの電線サイズでは接続できず、第２アルゴリズムでの処理に委ねられたが、接続順で直前の電気品への接続ラインの電線サイズに合わせると接続できないと判定され、かつ、第２アルゴリズムでの処理対象の最初の電気品への接続ラインだった場合を対象としている。この場合、直前の接続順の電気品は上位の電気品となる。第３アルゴリズムは、端子台を追設して調整を図るアルゴリズムである。
【００３９】
まず、上位の電気品の定格電流から分岐用端子台に接続する電線サイズを選定する（ステップＳ１３１）。次に下位の電気品の数から分岐数を算出する（ステップＳ１３２）。配線仕様調整部２１は、ステップＳ１３１による電線サイズ、およびステップＳ１３２による分岐数を満足する分岐端子台を部品データベース１１から抽出し、調整結果データベース１４に格納する（ステップＳ１３３）。
【００４０】
次に、追加した分岐端子台から下位の電気品までの電線サイズは、それぞれの下位の電気品に接続可能サイズとし、調整結果データベース１４に保存する。図９は、第３アルゴリズムを適用前の接続状態の例を示す説明図である。また、図１０は、第３アルゴリズムを適用後の接続状態の例を示す説明図である。分岐用端子台を追加設置することによって、分岐用端子台を境に電線のサイズを変更することができ、下位の電気品への接続を可能としている。すなわち、図９のような状態の場合に、第３アルゴリズムを適用して図１０のような配線状態にすることにより配線を成立させることができる。
【００４１】
図１１は、配線仕様調整ステップの結果を反映した調整結果データベース１４内の接続順データの例である。表の各行は、盤内のすべてのケーブルのそれぞれを示す。各列は、ケーブル番号、ケーブルの発着を示すそれぞれの用品の番号および名称、ケーブルサイズ、ケーブルの種類を示す。このように、盤内の全てのケーブルについて、発着点、サイズおよび種類が表形式で調整結果データベースに記憶される。
【００４２】
図１２は、実施形態に係る盤内配置調整方法における用品配置調整ステップの手順を示すフロー図である。用品配置調整ステップＳ３００は、配線仕様調整ステップＳ１００の結果と、ステップＳ２００で入力部３２によって外部から受け入れた盤寸法等の要求条件とに基づいて実行される。外部から受け入れた盤寸法等の要求条件は、初期条件とされ、この制約のもとに配置調整が行われる。この条件では成立しない場合には、後述するように、盤の大きさの修正がなされる。
【００４３】
用品配置調整ステップＳ３００では、まず、発熱量、ノイズ耐性、監視操作性、重量のそれぞれの配置調整項目について、それぞれの配置調整項目における区分を判定するレベル設定を行う（ステップＳ３０１）。すなわち、たとえば、発熱量を例にとると、発熱量が大の場合と小の場合とを区分する区分値としての発熱量の値を設定する。なお、ここで、重量は、盤の保守作業を行う際の保守作業性のバロメータとしての量であり、保守作業性としては、その他、たとえば、突起物が多く直接扱いにくい、あるいは、特殊な装具が必要などといった例も考えられ、これらを総合して保守作業性としてもよい。
【００４４】
図１３は、実施形態に係る盤内配置調整方法における用品の盤内の配置位置に関する区分、すなわち配置区分の例を示す説明図である。ここで、第１配置区分の電気品は発熱量が大で対ノイズ性能が低のものであり、他の電気品への熱的影響を避け、かつノイズを発する動力用品のような重量品から離れた盤内の右上に配置する。第２配置区分の電気品は発熱量が大で対ノイズ性能が高のものであり、他の電気品への熱的影響を避けるために、盤内の左上に配置する。
【００４５】
第３配置区分の電気品は監視操作性が要求されるもので盤内の中間高さよりやや上の位置に配置する。第４配置区分の電気品は重量が大のもので、盤内の下方に配置する。第５配置区分の電気品は第１ないし第４配置区分の電気品以外の電気品であり、盤内の中間高さのやや下の位置に配置する。
【００４６】
また、それぞれの配置調整項目に基づいて配置区分が設定される。また、それぞれの指標についての区分を決めるためのレベルを設定する。すなわち、発熱量、重量について、それぞれ、高低または大小の区分を決める境界値を設定する。ノイズ耐性についても、高低の区分を決める境界値を設定する。また、監視操作性として、盤面での監視操作の頻度、重要性等から要求される程度の大小の区分を決める境界値を設定する。設定した結果および、配置上の位置との対応は、用品配置データベース１３に収納する。
【００４７】
次に、用品配置調整部２２は、盤に収納あるいは、取り付ける用品のすべてについて、順次、調整結果データベース１４に保存された各用品の特性データを用いて、以下のアルゴリズムに従って配置区分を決定する。まず、用品配置調整部２２は、発熱量が高区分か否かを判定する（ステップＳ３０２）。発熱量が高区分と判定された場合（ステップＳ３０２  ＹＥＳ）には、ノイズ耐性が低か否かを判定する（ステップＳ３０３）。
【００４８】
ノイズ耐性が低と判定された場合（ステップＳ３０３  ＹＥＳ）、用品配置調整部２２は、発熱量が大きくかつノイズ耐性が低い当該電気品は第１配置区分であると設定して調整結果データベース１４に出力し、調整結果データベース１４はこれを保存する（ステップＳ３０４）。ノイズ耐性が低ではないと判定された場合（ステップＳ３０３  ＮＯ）は、用品配置調整部２２は、当該電気品は第２配置区分であると設定して調整結果データベース１４に出力し、調整結果データベース１４はこれを保存する（ステップＳ３０５）。
【００４９】
ステップＳ３０２で、発熱量が高区分ではないと判定された場合（ステップＳ３０２  ＮＯ）には、監視操作性が大か否かを判定する（ステップＳ３０６）。監視操作性が大と判定された場合（ステップＳ３０６  ＹＥＳ）は、用品配置調整部２２は、当該電気品は第３配置区分であると設定して調整結果データベース１４に出力し、調整結果データベース１４はこれを保存する（ステップＳ３０７）。
【００５０】
監視操作性が大ではないと判定された場合（ステップＳ３０６  ＮＯ）は、用品配置調整部２２は、重量が大か否かを判定する（ステップＳ３０８）。重量が大と判定された場合（ステップＳ３０８  ＹＥＳ）は、当該電気品は第４配置区分であると設定して調整結果データベース１４に出力し、調整結果データベース１４はこれを保存する（ステップＳ３０９）。重量が大と判定されなかった場合（ステップＳ３０８  ＮＯ）は、当該電気品は第５配置区分であると設定して調整結果データベース１４に出力し、調整結果データベース１４はこれを保存する（ステップＳ３１０）。
【００５１】
図１４は、以上の結果を反映した調整結果データベース１４内の配置区分データの例である。各行は、盤内のすべての用品のそれぞれを示す。各列は、用品の番号、用品の名称、型式、発熱量（Ｗ）、重量（Ｋｇ）、発熱量の大小、ノイズ耐性の高低、監視操作性の高低、重量の大小、および区分結果による配置区分である。なお、図示していないが、各用品の縦、横、高さのそれぞれの外形寸法、ケーブルとの取り合い可能サイズ等の部品データベース１１内の部品データの一部、あるいは全部を、この配置区分データに含めてもよい。
【００５２】
発熱量の大小は、発熱量（Ｗ）の欄の値と境界値との比較から自動的に区分される。また、重量の大小は重量（ｋｇ）から自動的に区分される。ノイズ耐性の高低については、用品の型式によって自動的に区分し、自動的に区分できない場合のみ外部入力によって区分する。監視操作性についても用品の番号、型式で自動的に区分される。また、調整結果により、第１配置区分ないし第５配置区分のうちのいずれかに区分される。
【００５３】
全実装用品について、判定、区分を行い（ステップＳ３１１）、全実装用品について実施したら（ステップＳ３１１  ＹＥＳ）次のステップに進む。全実装品の完了に至っていない場合（ステップＳ３１１  ＮＯ）は、ステップＳ３０２以下を繰り返す。
【００５４】
以上のように、ステップＳ３０２ないしステップＳ３１０で、全実装用品について配置区分を決定したら、次に、以下のように、各用品についての盤内の配置決めのステップに入る。
【００５５】
盤内への追加、並べ替えを行う（ステップＳ３１２）。すなわち、盤内に順次、用品を追設する。また、２つ目以降の用品については、並べ替えを行う。具体的には、用品配置調整部２２は、各用品を順次、それぞれの配置区分に従って、盤内あるいは盤面に追設する。この際、用品配置調整部２２は、調整結果データベース１４に保存されたデータを用いて、第１並べ替えキーを図１４の例に示す配置区分、第２並べ替えキーを図１１の例に示す配線順として、その都度、並べ替えを実施する。並べ替えの結果は、その都度、調整結果データベース１４に収納され、最新の調整結果が保存される。
【００５６】
次に、盤内配設のステップで配設された結果、現状配設されている用品が、収納可能な状態となっているか否かを判定する（ステップＳ３１３）。収納可と判定されない場合（ステップＳ３１３  ＮＯ）には、盤寸法を修正する（ステップＳ３１４）。修正は、所定の微小単位で実施され、収納可と判定されるまで繰り返す。以上を、実装する全用品について実施する（ステップＳ３１５）。
【００５７】
以上のように、本実施形態によれば、動力系と制御系の電気品が同一盤内に共存する場合でも、動力系電気品からのノイズや発熱が、制御系電気品に悪影響を及ぼさない用品配置を行うことができる。また、電線サイズの選定と用品の配置が、単線結線図の設計段階から可能である。
【００５８】
この結果、調整された結果に基づいて複線結線図の作成が可能となる。また、盤外の電線敷設計画や配置計画も早期に行うことが可能であり、かつ、設計の進展によるケーブルの変更、盤サイズの変更等が発生する可能性が小さく、設計、製作上の手戻り作業が大幅に低下する。
【００５９】
［第２の実施形態］
図１５は、第２の実施形態に係る盤内配置調整方法の手順を示すフロー図である。本実施形態は第１の実施形態の変形である。本実施形態においては、盤内配置調整方法の手順において、追加並べ替えステップ（ステップＳ３１２）の次に、配置区分内並べ替えステップ（ステップＳ３２１）を有する。
【００６０】
具体的には、用品配置調整部２２は、調整結果データベース１４に保存されたデータを用いて、それぞれの配置区分内での並べ替えを実施する。すなわち、追加、並べ替えステップ（ステップＳ３１２）で第１配置区分の用品が追加された場合、配置区分内並べ替えステップ（ステップＳ３２１）用品の高さ寸法を第一並べ替えキー、用品型式を第二並べ替えキー、接続順を第三並べ替えキーに設定し、並べ替えを行う。並べ替えの結果は、その都度、調整結果データベース１４に保存される。
【００６１】
同様に、第２配置区分の用品が追加された場合は、第２配置区分内での並べ替えを行う。第３配置区分ないし第５配置区分についても同様に、それぞれの配置区分内での並べ替えを実施する。
【００６２】
このように各配置区分内での並べ替えを行うことによって、盤内の美観が整い、かつ同一用品が並置されるため保守性に優れた用品配置を行うことが可能となる。
【００６３】
［その他の実施形態］
以上、本発明の実施形態を説明したが、実施形態は、例として提示したものであり、発明の範囲を限定することは意図していない。さらに、実施形態は、その他の様々な形態で実施されることが可能であり、発明の要旨を逸脱しない範囲で、種々の省略、置き換え、変更を行うことができる。
【００６４】
実施形態やその変形は、発明の範囲や要旨に含まれると同様に、特許請求の範囲に記載された発明とその均等の範囲に含まれるものである。
【符号の説明】
【００６５】
１０…記憶部、１１…部品データベース、１２…配線データベース、１３…用品配置データベース、１４…調整結果データベース、２０…演算部、２１…配線仕様調整部、２２…用品配置調整部、３１…入力制御部、３２…入力部、４１…出力制御部、４２…出力部、１００…盤内配置調整装置
【図１】
2016085560.tif 000003
【図２】
2016085560.tif 000004
【図３】
2016085560.tif 000005
【図４】
2016085560.tif 000006
【図５】
2016085560.tif 000007
【図６】
2016085560.tif 000008
【図７】
2016085560.tif 000009
【図８】
2016085560.tif 000010
【図９】
2016085560.tif 000011
【図１０】
2016085560.tif 000012
【図１１】
2016085560.tif 000013
【図１２】
2016085560.tif 000014
【図１３】
2016085560.tif 000015
【図１４】
2016085560.tif 000016
【図１５】
2016085560.tif 000017